(57)【要約】【課題】   普段の生活で寝そべりながらひじ枕をしていると、腕がしびれてじっとしていられなくなる。これは、頭部の荷重を腕で支えている為、腕が自由にならないという事から起きうる症状で、従来の枕では腕と首が痛くなり苦痛感を催す。こういった苦痛を無くし、寝そべった時のひじ枕姿勢を楽に長く続けられるようにする。【解決手段】  片側にそれぞれ設定された二箇所のヒンジの作動により、体型の大きさによって頭の置く位置が変わっても順応可能で、かつ、ヘッドレスト部の角度の変更で、ゆったり感も瞬時に変える事が可能。又、頭の荷重をヘッドレスト部で受け止める為、ヘッドレスト下のコの字型空間に入れた腕はフリーになる。この事により、自然な姿勢の寝そべられる状態を長時間保つ事が出来うる。【選択図】 図２
2007143932.tif 000002
【特許請求の範囲】
【請求項１】
一枚の基枠板Ｃの左右両端から一対のへの字型アーム２Ｂ・４Ｂを、基枠板Ｃに取り付けられているヒンジ１Ａ・４Ａを起点にして斜め上方に延設し、その両方の先端ににおいてヒンジ２Ａ・３Ａを介してU字状のフレーム３Ｂをつなぎ、このＵ字状のフレームにはヘッドレストＤを設け、上記４つのヒンジ１Ａ・４Ａ・２Ａ・３Ａにはラチェットを設けて角度調節可能となし、上記基枠板Ｃとへの字型アーム２Ｂ・４Ｂ、U字状フレーム３Ｂ、ヘッドレストＤにはクッション材Ｅを被覆してなる事を特徴とする角度調整可能のひじ枕Ｐ。
【発明の詳細な説明】
【技術分野】
【０００１】
本発明は、畳や床および蒲団の上に配置して使用するひじ枕で、人がごろ寝の姿勢、いわゆる横向き寝の姿勢で長時間を楽に過ごせるようにしたひじ枕。
【０００２】
片側に二箇所のヒンジ部を設定する事によって、今までに成しえなかったヘッドレストが空中に浮いたような角度を出せることを可能にした。
構造が簡単で軽量かつ量産と安価にできる予測が可能、社会貢献できうる発明品。
【背景技術】
【０００３】
日本での生活の中でごろ寝をした際、ひじを立ててテレビを見るという事が多分にあるにも関わらず、従来の枕ではほとんどが上を向いた姿勢に適応しており、脇に枕を入れてテレビを見ていてもすぐに手がしびれたり首が痛くなったりして苦痛を伴う。
【０００４】
特に、脇に枕を入れないひじ枕姿勢では、床面ですぐに肘が痛くなって寝返り又は姿勢をいろいろ変えなければならない状況にある。
【０００５】
かつ、枕に頭を乗せてのごろ寝姿勢では、すぐにそのまま深く眠ってしまう。
【０００６】
枕の大きさによっては人の体型にそぐわず、枕の意味を成さない。
【０００７】
病人などが仰向きに長時間寝た姿勢は床ずれ等を起こし良くない為、時々、横向き寝の姿勢にする必要があるが長時間の横向き寝に対しての姿勢は、片手が自由に使えなくなるとか頭部の重さを片側の肩・腕・肘・首等で支える為、長く続けるとかなりの痛みと苦痛が伴うようである。
【発明の開示】
【発明が解決しようとする課題】
【０００８】
本発明は上記した問題点を解決する為になされたもので、寝そべりながらひじ枕をしている際に、快適に頭部を支えることができ、人それぞれの体型にもあったひじ枕を提供する事を目的とする。
【０００９】
ひじ部分、首に掛かる頭の荷重をヘッドレストで受け止め、かつ、腕が自由にならないと上記問題点を解決できない。
【００１０】
従来から枕は出ているが、凭れるとか、載せるいう概念ではなく、頭部分を受け止める感覚のひじ枕にしなければ本来のリラックス状態は解消できない。        
【課題を解決するための手段】
【００１１】
本発明の角度調整可能のひじ枕は、一枚の基枠板Ｃの左右両端から一対のへの字型アーム２Ｂ・４Ｂを、基枠板Ｃに取り付けられているヒンジ１Ａ・４Ａを起点にして斜め上方に延設し、その両方の先端においてヒンジ２Ａ・３Ａを介してＵ字状のフレーム３Ｂをつなぎ、このＵ字状のフレームにはヘッドレストＤを設け、上記４つのヒンジ１Ａ・４Ａ・２Ａ・３Ａにはラチェットを設けて角度調節可能となし、上記基枠板Ｃとへの字型アーム２Ｂ・４Ｂ、Ｕ字状フレーム３Ｂ、ヘッドレストＤにはクッション材Ｅを被覆してなる事を特徴とする。
【発明の効果】
【００１２】
本発明のひじ枕を用いれば寝そべりながらひじ枕をする際に、簡単かつ快適に頭部をヘッドレスト上に載せる事ができ、横向き寝の姿勢で長時間を過ごしても腕や首が痛くなって苦痛を感じることがなくなる。
【００１３】
使用する人の体型に関係なく、片側に二箇所のヒンジを機能させることにより、瞬時に高さとゆったり感を変更できる事を可能にし、ひじ枕が腕の代わりになったような状態となる為、今までのひじ枕に無かった違和感の無い自然な姿勢での使用が可能となる。
【００１４】
寝そべりながら基枠板Ｃの上のへの字型アーム２Ｂ・４Ｂと、Ｕ字状フレーム３Ｂに取り付けたヘッドレストＤによってできたコの字型の空間に、片腕を肩まで挿入する事ができる。又、頭荷重はヘッドレスト部で受け止める為、挿入した下側の腕には頭荷重が掛からなく、腕の負担が無くなり腕を自由に動かせる事が可能。
【００１５】
使用者が寝転んでヘッドレストＤに頭を載せる時、への字型アーム２Ｂ・４ＢでＵ字型アーム３Ｂのヒンジ２Ａ・３Ａの高さを調整する。次に頭の荷重をゆったりとヘッドレストＤに載せる為、U字型アーム３ＢのヘッドレストＤをヒンジ２A・３Aを支点にして動かし、自分の好みに合った姿勢に合わせて調整する事が可能である。
【発明を実施するための最良の形態】
【００１６】
以下の通りである。
【実施例】
【００１７】
図1は角度調整可能のひじ枕の骨格を示した斜視図、図２は骨格にクッションＥを被覆した斜視図、図３はヒンジ部３Ａの高さが最下段にある状態で、高さを示す１Ｈが一番低く、このひじ枕の収納時の骨格がこの状態である。図６はヒンジ３Ａの高さが最上段４Ｈにある状態であり、体格の大きい人がＵ字型アーム３ＢについたヘッドレストＤをＷの可動域で調整できる。図４、図５は図３、図６の中間点の作動図である。図７は人が通常、寝そべりながらひじ枕をした姿勢で、体はリラックスしているが腕と首に負担のかかる姿勢を示したもの。図８は図７で示す姿勢のまま、このひじ枕を使用した状態例である。
【００１８】
基枠板Ｃの左右両端にアルミ製パイプ外径寸法２センチ、長さ５ｃｍの１Ｂ、５Ｂを熔接にて固定して、このアルミ製パイプ１Ｂ、５Ｂにヒンジ１Ａと４Ａを結合させる。このヒンジ部のラチェットに関しては特開２００４−９２８７６号公報を参照されたい。アルミ製パイプ１Ｂ、５Ｂと鋳鉄製ヒンジ１Ａ、４Ａの結合方法に関しては材質が違い熔接ができない為、プレスによるスポット圧着、もしくは穴を空けてのリベット止めとなる事が望ましい。同じ、結合方法でへの字型アーム２Ｂ、ヒンジ２Ａ、Ｕ字型アーム３Ｂ、ヒンジ３Ａ、への字型アーム４Ｂは組み立て結合される。ヘッドレスト部となるアルミ製ヘッドレストＤに関しては３Ｂとアルミ熔接で固定。
【００１９】
クッションの被服に関して、基枠板Ｃには、厚み約４センチの低反発性のスポンジを被覆し、特に床もしくは蒲団の境界線部となる図９のＦ部・Ｍ部・Ｎ部では、図１０に示したように図８の１Ｆ部分の断面図を表すが、寝転んだ時にクッション材Ｅは想像線１Ｅから圧縮され図１０のＥの形となる。この縮んだクッションＥの厚み部分で、図１１で示す段差５Ｈが発生しやすい。この段差５Ｈがあると、ひじ枕を使用する際に図１１の空間Ｚができて、脇部、もしくは腕部分に圧迫感を催す。その為、低反発性のスポンジの形状及び硬さを考慮し、低反発性のスポンジを被服する際に図１０の断面図で示されるように図１１の三角形の空間Ｚができない形態にする。図９における境界線部のＭ、Ｎも同じ形態を取る。
への字アーム２Ｂ、４Ｂのクッション材に関しては厚さ約３センチを被覆しアームの太さ直径が約７センチの形態にする。
【００２０】
基枠板Ｃはアルミ製で、寸法は厚み０．５センチ、幅３センチのアングルを使い長方形□型を縦２８センチと横３５センチで作られる。この基枠板は使用状態によって１Ａ，４Ａのヒンジを支点にして、てこの原理で頭の荷重以上が負荷として掛かる為、これに対応する変形しない強度を要する。
【００２１】
ヘッドレストＤには、低反発性のスポンジ材を厚さ約８センチ程被服して適度な弾力性と硬さを有するようにする。ヘッドレストＤの材質はアルミ製で厚みは０．４センチ、Ｕ字型アームにクッション材を安定し易く被覆する為と、頭荷重を面で受け止める形態にする為、幅寸法は６センチとする。長さはＵ字型アームの空間幅分となり２５センチで構成される。但し、ヘッドレストＤの下部には腕を肩まで通す為、コの字型の空間が狭くならないように、ヘッドレストＤの下部のクッション材は厚みを約１センチにする。
Ｕ字型アームはパイプ外径が２センチのアルミ製パイプで、長さ寸法はヒンジ２Ａ・３Ａの中心点からＵ字型アーム先端までを２２センチとし、幅寸法は２９センチで図１で示されるようにＵ字型に曲げられて構成される。
【００２２】
外部は布製にすると共に本体が金属製の為、寸法の指示の無い部分には約４センチの厚みのクッション材を被覆して強く触っても痛くないようにしておくのが望ましい。
【００２３】
このようにしたところ基枠板Ｃとへの字型アーム２Ｂ、４Ｂ、ヘッドレストＤに囲まれた中央にトンネルが生じて、約２０センチ四方のコの字型空間が出来る。ここへ肘を肩まで入れて使用する。
【００２４】
への字型アーム２Ｂ・４Ｂを低い位置に倒した際、なるべく腕がこのアームに接触しない形状にする為にへの字型に曲げる。このへの字型アームの長さ寸法は４Ａヒンジの中心から３Ａヒンジ中心までを１４センチとする。Ｕ字型アーム３Ｂと同じアルミパイプで構成されパイプ外径寸法も２センチとする。４Ａヒンジから３Ａヒンジの中央付近で折れた形状にすると良いが、図４のＫの示すこのアームの折れ角の中心点の位置は、図４のひじ枕の使用開始状態において、床面から腕幅分約１０センチの高さ1Ｋを確保する必要がある。又、このアームのへの字型の形状については湾曲したＪ型の形状でも良い。アーム２Ｂも同じとする。注意点として図３で示すヒンジ４Ａのラチェットがロックする位置２Ｇで、ヒンジ３Ａが基枠板Ｃに当たらないように設定する事。ヒンジ４Ａのラチェットのロック位置がこの２Ｇ位置に対応できない場合はアルミ製パイプ５Ｂの形状を逆への字型に加工し、角度を持たせてやるとヒンジ３Ａと基枠板Ｃは接触しない位置設定が出来る。
【００２５】
図３に示すアーム４Ｂの１Ｇ位置は４Ａ・１Ａのヒンジのラチェットがリセットする位置で、２Ｇ位置は、このラチェットがロックする位置を示す。
【００２６】
図６では、前述の４Ａ・１Ａのヒンジと同じく、Ｕ字型アームのヒンジ３Ａ・２Ａがロックする位置とリセットする位置を３Ｇ・４Ｇで示す。
【００２７】
この時のラチェットが作動する切り替え段数は使用するラチェットの能力に依存する。ここでは１A・４A・２Ａ・３Ａのラチェットは４段の切り替えが可能と想定した状態を説明する。このラチェットに関しては現在１６段式の物が出ているが図面が複雑になるため、４段式として説明する。
【００２８】
また、ラチェット部１A、２A、３A、４Aはラチェットに限らず、ワンタッチでねじ式で固定ができたり、他の公知手段を用いても良い。
かくして得られたひじ枕Ｐを実際に使用している状況を図８に示す。
【図面の簡単な説明】
【００２９】
【図１】角度調整可能のひじ枕の骨格を示した斜視図
【図２】図1の骨格にクッション材Ｅを被服した状態を示した図
【図３】ひじ枕を収納する時の位置。支点４A・１Ａのラチェットが最下段の状態で、Ｕ字型アーム３Bが３Ａ・２Ａの支点に対して可動するのを示す右側面図
【図４】ひじ枕の使用開始位置。支点４A・１Ａのラチェットが下から２段目の状態で、Ｕ字型アーム３Bが３Ａ・２Ａの支点に対して可動するのを示す右側面図
【図５】支点４A・１Ａのラチェットが下から３段目の状態で、Ｕ字型アーム３Bが３Ａ・２Ａの支点に対して可動するのを示す右側面図
【図６】支点４A・１Ａのラチェットが最上段の状態で、Ｕ字型アーム３Bが３Ａ・２Ａの支点に対して可動するのを示す右側面図
【図７】人が通常、寝そべりながらひじ枕をした状態図
【図８】本発明に係る角度調整可能のひじ枕の実施例を示す概略説明図
【図９】床面との境界線部位を示す図
【図１０】図８の１Ｆ部分の拡大断面図
【図１１】図８の１Ｆ部分の拡大参考断面図
【符号の説明】
【００３０】
１Ａ  ヒンジ部
２Ａ  ヒンジ部
３Ａ  ヒンジ部
４Ａ  ヒンジ部
１Ｂ  アルミ製パイプ
２Ｂ  への字型アーム  
３Ｂ  U字型アーム
４Ｂ  への字型アーム
５Ｂ  アルミ製パイプ
Ｃ  アルミ製基枠板
Ｄ  アルミ製ヘッドレスト
Ｅ  クッション材
１Ｅ  クッション材の想像線
Ｆ  脇が当たる基枠板Ｃのクッション部と床もしくは蒲団との境界部
１Ｆ  脇が当たる基枠板Ｃのクッション部と床もしくは蒲団との境界部
１H  ヒンジ部２A・３Aの最下段の高さ
２H  ヒンジ部２A・３Aの下から２段目の高さ
３H  ヒンジ部２A・３Aの下から３段目の高さ
４H  ヒンジ部２A・３Aの最上段の高さ
５H  クッションＥの伸縮時の厚み高さ
K  への字型アーム４Ｂの中心点
1K  床面からＫ点までの高さ
Ｍ  左腕部分が当たる基枠板Ｃのクッション部と床もしくは蒲団との境界部
Ｎ  右腕部分が当たる基枠板Ｃのクッション部と床もしくは蒲団との境界部
Ｐ  角度調整可能のひじ枕
R  への字型アーム２Bと４Bの可動範囲
W  ヘッドレスト３Bの可動範囲
Ｙ  使用者の脇部分
Ｚ  三角形の空間
【図１】
2007143932.tif 000003
【図２】
2007143932.tif 000004
【図３】
2007143932.tif 000005
【図４】
2007143932.tif 000006
【図５】
2007143932.tif 000007
【図６】
2007143932.tif 000008
【図７】
2007143932.tif 000009
【図８】
2007143932.tif 000010
【図９】
2007143932.tif 000011
【図１０】
2007143932.tif 000012
【図１１】
2007143932.tif 000013
【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
一枚の基枠板Ｃの左右両端から一対のへの字型アーム２Ｂ・４Ｂを、基枠板Ｃに取り付けられているヒンジ１Ａ・４Ａを起点にして斜め上方に延設し、その両方の先端においてヒンジ２Ａ・３Ａを介してＵ字状のフレーム３Ｂをつなぎ、このＵ字状のフレームにはヘッドレストＤを設け、上記４つのヒンジ１Ａ・４Ａ・２Ａ・３Ａにはラチェットを設けて角度調節可能となし、上記基枠板Ｃとへの字型アーム２Ｂ・４Ｂ、Ｕ字状フレーム３Ｂ、ヘッドレストＤにはクッション材Ｅを被覆してなる事を特徴とする角度調整可能のひじ枕Ｐ。
【請求項２】
上記ラチェットの換わりにねじ固定方式である事を特徴とする角度調整可能のひじ枕。
【手続補正２】
【補正対象書類名】明細書
【補正対象項目名】００１１
【補正方法】変更
【補正の内容】
【００１１】
請求項１記載の角度調整可能のひじ枕は、一枚の基枠板Ｃの左右両端から一対のへの字型アーム２Ｂ・４Ｂを、基枠板Ｃに取り付けられているヒンジ１Ａ・４Ａを起点にして斜め上方に延設し、その両方の先端においてヒンジ２Ａ・３Ａを介してＵ  字状のフレーム３Ｂをつなぎ、このＵ字状のフレームにはヘッドレストＤを設け、上記４つのヒンジ１Ａ・４Ａ・２Ａ・３Ａにはラチェットを設けて角度調節可能となし、上記基枠板Ｃとへの字型アーム２Ｂ・４Ｂ、Ｕ字状フレーム３Ｂ、ヘッドレストＤにはクッション材Ｅを被覆してなる事を特徴とする。
請求項２記載の角度調整可能のひじ枕は、上記ラチェットの換わりにねじ固定方式である事を特徴とする。
【手続補正３】
【補正対象書類名】明細書
【補正対象項目名】００１３
【補正方法】変更
【補正の内容】
【００１３】
使用する人の体型に関係なく、片側に二箇所のヒンジを機能させることにより、瞬時に高さとゆったり感を変更できる事を可能にし、角度調整可能のひじ枕が腕の代わりになったような状態となる為、今までの枕に無かった違和感の無い自然な姿勢での使用が可能となる。
【手続補正４】
【補正対象書類名】明細書
【補正対象項目名】００１４
【補正方法】変更
【補正の内容】
【００１４】
図１２のように、寝そべりながら基枠板Ｃの上のへの字型アーム２Ｂ・４Ｂと、Ｕ字状フレーム３Ｂに取り付けたヘッドレストＤによってできたコの字型の空間に、片腕を肩まで挿入する事ができる。これはヘッドレストＤの下に片腕を入れる事で体の荷重を基枠板ＣのクッションＥで受け止められる。かつ、凭れ部分が一直線だと首から下の体重と頭部の荷重を分散することができない為、凭れ部分のへの字型アーム２Ｂ・４Ｂ及び、Ｕ字状フレーム３ＢのヘッドレストＤがヒンジ１Ａ・４Ａから一直線にならないように、ヒンジ２Ａ・３Ａで折れ角を作っている。この事により、ヘッドレストＤには頭部のみの荷重が載せられるようになる。この為、首から下の体重と頭部の荷重はそれぞれの受け部によって分散され、リラックス状態を作る。しかも、挿入した下側の腕には頭荷重が掛からなく、腕の負担が無くなり腕を自由に動かせる事が可能である。
【手続補正５】
【補正対象書類名】明細書
【補正対象項目名】００２９
【補正方法】変更
【補正の内容】
【００２９】
【図１】角度調整可能のひじ枕の骨格を示した斜視図
【図２】図１の骨格にクッション材Ｅを被服した状態を示した図
【図３】ひじ枕を収納する時の位置。支点４Ａ・１Ａのラチェットが最下段の状態で、Ｕ字型アーム３Ｂが３Ａ・２Ａの支点に対して可動するのを示す右側面図
【図４】ひじ枕の使用開始位置。支点４Ａ・１Ａのラチェットが下から２段目の状態で、Ｕ字型アーム３Ｂが３Ａ・２Ａの支点に対して可動するのを示す右側面図
【図５】支点４Ａ・１Ａのラチェットが下から３段目の状態で、Ｕ字型アーム３Ｂが３Ａ・２Ａの支点に対して可動するのを示す右側面図
【図６】支点４Ａ・１Ａのラチェットが最上段の状態で、Ｕ字型アーム３Ｂが３Ａ・２Ａの支点に対して可動するのを示す右側面図
【図７】人が通常、寝そべりながらひじ枕をした状態図
【図８】本発明に係る角度調整可能のひじ枕の実施例を示す概略説明図
【図９】床面との境界線部位を示す図
【図１０】図８の１Ｆ部分の拡大断面図
【図１１】図８の１Ｆ部分の拡大参考断面図
【図１２】本発明に係る角度調整可能のひじ枕の実施例を示す概略説明図
【手続補正６】
【補正対象書類名】図面
【補正対象項目名】図１２
【補正方法】追加
【補正の内容】
【図１２】
2007143932.tif 000014
【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
一枚の基枠板（Ｃ）の左右両端から一対のへの字型アーム（２Ｂ・４Ｂ）を、基枠板（Ｃ）に取り付けられているヒンジ（１Ａ・４Ａ）を起点にして斜め上方に延設し、その両方の先端ににおいてヒンジ（２Ａ・３Ａ）を介してＵ字状のフレーム（３Ｂ）をつなぎ、このＵ字状のフレームにはヘッドレスト（Ｄ）を設け、上記４つのヒンジ（１Ａ・４Ａ・２Ａ・３Ａ）にはラチェットを設けて角度調節可能となし、への字型アーム（２Ｂ・４Ｂ）、Ｕ字状フレーム（３Ｂ）、ヘッドレスト（Ｄ）にはクッション材（Ｅ）を被覆してなる事を特徴とし、寝そべりながら基枠板（Ｃ）の上のへの字型アーム（２Ｂ・４Ｂ）と、Ｕ字状フレーム（３Ｂ）に取り付けたヘッドレスト（Ｄ）によってできたコの字型の空間に、片腕を肩まで挿入する事ができ、かつ、頭の荷重をヘッドレスト（Ｄ）で受け止める事のできる角度調整可能のひじ枕（Ｐ）。
【請求項２】
上記ラチェットの換わりにねじ固定方式である事を特徴とする角度調整可能の請求項１記載のひじ枕。
【手続補正２】
【補正対象書類名】明細書
【補正対象項目名】００１４
【補正方法】変更
【補正の内容】
【００１４】 図８のように、寝そべりながら基枠板Ｃの上のへの字型アーム２Ｂ・４Ｂと、Ｕ字状フレーム３Ｂに取り付けたヘッドレストＤによってできたコの字型の空間に、片腕を肩まで挿入する事ができる。これはヘッドレストＤの下に片腕を入れる事で体の荷重を基枠板ＣのクッションＥで受け止められる。凭れ部分のへの字型アーム２Ｂ・４Ｂ及び、Ｕ字状フレーム３ＢのヘッドレストＤがヒンジ１Ａ・４Ａから一直線にならないように、ヒンジ２Ａ・３Ａで折れ角を作っている。この事により、ヘッドレストＤには頭部のみの荷重が載せられるようになる為、リラックス状態を作る。しかも、挿入した下側の腕には頭荷重が掛からなく、腕の負担が無くなり腕を自由に動かせる事が可能である。
【手続補正３】
【補正対象書類名】明細書
【補正対象項目名】００１１
【補正方法】変更
【補正の内容】
【００１１】  請求項１記載の角度調整可能のひじ枕は、一枚の基枠板（Ｃ）の左右両端から一対のへの字型アーム（２Ｂ・４Ｂ）を、基枠板（Ｃ）に取り付けられているヒンジ（１Ａ・４Ａ）を起点にして斜め上方に延設し、その両方の先端ににおいてヒンジ（２Ａ・３Ａ）を介してＵ字状のフレーム（３Ｂ）をつなぎ、このＵ字状のフレームにはヘッドレスト（Ｄ）を設け、上記４つのヒンジ（１Ａ・４Ａ・２Ａ・３Ａ）にはラチェットを設けて角度調節可能となし、への字型アーム（２Ｂ・４Ｂ）、Ｕ字状フレーム（３Ｂ）、ヘッドレスト（Ｄ）にはクッション材（Ｅ）を被覆してなる事を特徴とし、寝そべりながら基枠板（Ｃ）の上のへの字型アーム（２Ｂ・４Ｂ）と、Ｕ字状フレーム（３Ｂ）に取り付けたヘッドレスト（Ｄ）によってできたコの字型の空間に、片腕を肩まで挿入する事ができ、かつ、頭の荷重をヘッドレスト（Ｄ）で受け止める事を特徴とする。  請求項２記載の角度調整可能のひじ枕は、上記ラチェットの換わりにねじ固定方式である事を特徴とする。
【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
一枚の基枠板（Ｃ）の左右両端から一対のへの字型アーム（２Ｂ・４Ｂ）を、基枠板（Ｃ）に取り付けられているヒンジ（１Ａ・４Ａ）を起点にして斜め上方に延設し、その両方の先端においてヒンジ（２Ａ・３Ａ）を介してＵ字状のフレーム（３Ｂ）をつなぎ、このＵ字状のフレームにはヘッドレスト（Ｄ）を設け、上記４つのヒンジ（１Ａ・４Ａ・２Ａ・３Ａ）にはラチェットを設けて角度調節可能となし、への字型アーム（２Ｂ・４Ｂ）、Ｕ字状フレーム（３Ｂ）、ヘッドレスト（Ｄ）にはクッション材（Ｅ）を被覆し、基枠板（Ｃ）と、クッション材（Ｅ）を被覆した基枠板（Ｃ）の上のへの字型アーム（２Ｂ・４Ｂ）と、クッション材（Ｅ）を被覆したＵ字状フレーム（３Ｂ）に取り付けたヘッドレスト（Ｄ）とで囲まれた部分が、腕を挿入する事のできるコの字型の空間を作る、かつ、頭の荷重をヘッドレスト（Ｄ）で受け止める事のできる角度調整可能のひじ枕（Ｐ）。
【請求項２】
上記ラチェットの換わりにねじ固定方式である事を特徴とする請求項１記載の角度調整可能のひじ枕。
【手続補正２】
【補正対象書類名】明細書
【補正対象項目名】００１４
【補正方法】変更
【補正の内容】
【００１４】
図８のように、寝そべりながら基枠板Ｃの上のへの字型アーム２Ｂ・４Ｂと、Ｕ字状フレーム３Ｂに取り付けたヘッドレストＤによってできたコの字型の空間に、片腕を肩まで挿入する事ができる。これはヘッドレストＤの下に片腕を入れる事で体の荷重を基枠板ＣのクッションＥで受け止められる。凭れ部分のへの字型アーム２Ｂ・４Ｂ及び、Ｕ字状フレーム３ＢのヘッドレストＤがヒンジ１Ａ・４Ａから一直線にならないように、ヒンジ２Ａ・３Ａで折れ角を作っている。この事により、ヘッドレストＤには頭部のみの荷重が載せられるようになる為、リラックス状態を作る。しかも、挿入した下側の腕には頭荷重が掛からなく、腕の負担が無くなり腕を自由に動かせる事が可能である。
【手続補正３】
【補正対象書類名】明細書
【補正対象項目名】００１１
【補正方法】変更
【補正の内容】
【００１１】
請求項１記載の角度調整可能のひじ枕は、一枚の基枠板Ｃの左右両端から一対のへの字型アーム２Ｂ・４Ｂを、基枠板Ｃに取り付けられているヒンジ１Ａ・４Ａを起点にして斜め上方に延設し、その両方の先端においてヒンジ２Ａ・３Ａを介してＵ字状のフレーム３Ｂをつなぎ、このＵ字状のフレームにはヘッドレストＤを設け、上記４つのヒンジ１Ａ・４Ａ・２Ａ・３Ａにはラチェットを設けて角度調節可能となし、への字型アーム２Ｂ・４Ｂ、Ｕ字状フレーム３Ｂ、ヘッドレストＤにはクッション材Ｅを被覆し、基枠板Ｃと、クッション材Ｅを被覆した基枠板Ｃの上のへの字型アーム２Ｂ・４Ｂと、クッション材Ｅを被覆したＵ字状フレーム３Ｂに取り付けたヘッドレストＤとで囲まれた部分が、腕を挿入する事のできるコの字型の空間を作る、かつ、頭の荷重をヘッドレストＤで受け止める事を特徴とする。
請求項２記載の角度調整可能のひじ枕は、上記ラチェットの換わりにねじ固定方式である事を特徴とする。
【手続補正４】
【補正対象書類名】図面
【補正対象項目名】図１２
【補正方法】削除
【補正の内容】
【手続補正書】
【提出日】平成18年6月29日(2006.6.29)
【手続補正１】
【補正対象書類名】手続補正書
【補正対象項目名】手続補正５
【補正方法】追加
【補正の内容】
【手続補正５】
【補正対象書類名】明細書
【補正対象項目名】００２９
【補正方法】変更
【補正の内容】
【００２９】
【図１】角度調整可能のひじ枕の骨格を示した斜視図
【図２】図1の骨格にクッション材Ｅを被服した状態を示した図
【図３】ひじ枕を収納する時の位置。支点４Ａ・１Ａのラチェットが最下段の  状態で、Ｕ字型アーム３Ｂが３Ａ・２Ａの支点に対して可動するのを示す右側  面図
【図４】ひじ枕の使用開始位置。支点４Ａ・１Ａのラチェットが下から２段目  の状態で、Ｕ字型アーム３Ｂが３Ａ・２Ａの支点に対して可動するのを示す右  側面図
【図５】支点４Ａ・１Ａのラチェットが下から３段目の状態で、Ｕ字型アーム  ３Ｂが３Ａ・２Ａの支点に対して可動するのを示す右側面図
【図６】支点４Ａ・１Ａのラチェットが最上段の状態で、Ｕ字型アーム３Ｂが  ３Ａ・２Ａの支点に対して可動するのを示す右側面図
【図７】人が通常、寝そべりながらひじ枕をした状態図
【図８】本発明に係る角度調整可能のひじ枕の実施例を示す概略説明図
【図９】床面との境界線部位を示す図
【図１０】図８の１Ｆ部分の拡大断面図
【図１１】図８の１Ｆ部分の拡大参考断面図